(57)【要約】      （修正有）【課題】組み立て作業及び解体作業が比較的容易にでき、また収穫が容易にでき、しかも強風や地震などによる倒壊のおそれのない大型根菜類の栽培装置及び栽培キットを提供する。【解決手段】対向配置された主板１１ａ，１１ｂと、主板１１ａ，１１ｂの水平方向両端部の各々に当接する矩形状の側板１２ａ，１２ｂとで形成される上面開口の四角柱状の箱体１と、主板１１ａ，１１ｂの水平方向両端部の下方に配置されるアンカー部材２１ａ，２１ｂと、アンカー部材２１ａ，２１ｂに取り付けられた支持部材３１ａ及び支持部材３２ａとを備える。そして、支持部材３１ａ及び支持部材３２ａは所定距離隔てて対向配置され、支持部材３１ａ及び支持部材３２ａの対向する内側面が主板１１ａ，１１ｂの外側面に当接することによって、箱体１の位置決め及び略垂直支持がなされる。【選択図】図１
2020167938.tif 000002
【特許請求の範囲】
【請求項１】
所定距離隔てて対向配置された矩形状の一対の主板と、前記一対の主板の水平方向両端部の各々に当接する矩形状の一対の側板とで形成される上面開口の四角柱状の箱体と、
前記一対の主板の水平方向両端部の下方に配置される一対のアンカー部材と、
前記一対のアンカー部材に取り付けられた少なくとも一対の支持部材と、
を備え、
前記一対の支持部材は所定距離隔てて対向配置され、前記一対の支持部材の対向する内側面が前記箱体の対向する外側面に当接することによって、前記箱体の位置決め及び略垂直支持がなされることを特徴とする大型根菜類の栽培装置。
【請求項２】
前記一対の支持部材が、前記一対のアンカー部材の各々に取り付けられた板状の一対の支持片である請求項１記載の栽培装置。
【請求項３】
前記一対の支持部材が、屈曲した一対の筒状部材であって、前記一対の筒状部材の各々の一方側端部が前記一対のアンカー部材の一方に接続し、前記筒状部材の他方側端部が前記一対のアンカー部材の他方に接続する請求項１記載の栽培装置。
【請求項４】
一対の支持杭と、一対の紐状部材とから構成される、前記箱体の略垂直状態の支持を補強する第１支持補強機構をさらに備え、
前記一対の支持杭の各々は、前記箱体の対向する外側面から該外側面に対して垂直方向に所定距離隔てて設置され、
前記一対の紐状部材の各々は、一方端が前記一対の支持部材の各々に接続され、他方端は前記箱体の上端を対向側に渡って対向側に設置された前記支持杭に接続される請求項１〜３のいずれかに記載の栽培装置。
【請求項５】
前記第１支持補強機構が水平方向に所定間隔で少なくとも２組設けられている請求項４記載の栽培装置。
【請求項６】
長手方向略中央部に略直角に屈曲した屈曲部を有する一対の棒状部材と、前記一対の棒状部材を前記箱体に対して取り外し可能又は揺動可能に取り付ける一対の取付部材とから構成される、前記箱体の略垂直状態の支持を補強する第２支持補強機構をさらに備え、
前記第２支持補強機構が前記箱体の略垂直状態の支持を補強する状態において、前記棒状部材の屈曲部から一方端側へ向かう一方の棒状部が前記箱体の外面に当接し、前記棒状部材の屈曲部から他方端側へ向かう他方の棒状部が装置設置面に当接し、前記箱体の略垂直状態の支持が補強される請求項１〜５のいずれかに記載の栽培装置。
【請求項７】
前記他方の棒状部が板状体又は棒状体を介して装置設置面に当接する請求項６記載の栽培装置。
【請求項８】
前記第２支持補強機構が水平方向に所定間隔で少なくとも２組設けられている請求項６又は７記載の栽培装置。
【請求項９】
前記２組の第２支持補強機構における前記他方の棒状部が共通の板状体又は棒状体を介して装置設置面に当接する請求項８記載の栽培装置。
【請求項１０】
前記箱体の外側面に対して略垂直方向に立設し、前記箱体の外側面に側端が当接する一対の補強板から構成される、前記箱体の略垂直状態の支持を補強する第３支持補強機構をさらに備える請求項１〜９のいずれかに記載の栽培装置。
【請求項１１】
前記一対の補強板が、前記箱体の外側面に対して略垂直方向に立設した作用位置と、前記箱体の外側面と重なるように折り畳まれた折り畳み位置とに揺動可能である請求項１０に記載の栽培装置。
【請求項１２】
前記第３支持補強機構が水平方向に所定間隔で少なくとも２組設けられている請求項１０又は１１記載の栽培装置。
【請求項１３】
前記一対の主板及び／又は前記一対の側板の少なくとも一部が透明部材で構成され、前記箱体内が視認可能とされている請求項１〜１２のいずれかに記載の栽培装置。
【請求項１４】
前記一対の主板及び／又は前記一対の側板が折り畳み可能である請求項１〜１３のいずれかに記載の栽培装置。
【請求項１５】
大型根菜類を栽培するのに使用する栽培キットであって、
矩形状の一対の主板と、
矩形状の一対の側板と、
一対のアンカー部材と、
一対の支持部材と、
を備え、
前記一対の主板は所定距離隔てて対向配置され、前記一対の側板は、前記一対の主板の水平方向両端部の各々に当接するように配置されて、上面開口の四角柱状の箱体が形成され、
前記一対のアンカー部材は、前記一対の主板の水平方向両端部の下方に配置され、
前記一対の支持部材は、前記一対のアンカー部材に取り付けられ、前記箱体の位置決めを行うとともに前記箱体を略垂直に支持することを特徴とする大型根菜類の栽培キット。
【請求項１６】
一対の支持杭と、一対の紐状部材とをさらに備え、
前記一対の支持杭の各々は、前記箱体の対向する外側面から該外側面に対して垂直方向に所定距離隔てて設置され、
前記一対の紐状部材の各々は、一方端が前記一対の支持部材の各々に接続され、他方端は前記箱体の上端を対向側に渡って対向側に設置された前記支持杭に接続される請求項１５記載の栽培キット。
【請求項１７】
長手方向略中央部に略直角に屈曲した屈曲部を有する一対の棒状部材と、前記一対の棒状部材を前記箱体に対して取り外し可能又は揺動可能に取り付ける一対の取付部材とをさらに備え、
前記棒状部材の屈曲部から一方端側へ向かう一方の棒状部が前記箱体の外面に当接し、前記棒状部材の屈曲部から他方端側へ向かう他方の棒状部が装置設置面に当接し、前記箱体の略垂直状態の支持が補強される請求項１５又は１６に記載の栽培キット。
【発明の詳細な説明】
【技術分野】
【０００１】
本発明は大型根菜類の栽培装置及び栽培キットに関し、より詳細には山芋などの長い根を有する大型根菜類の栽培に好適に使用される栽培装置及び栽培キットに関するものである。
【背景技術】
【０００２】
山芋や長芋、ゴボウなどの大型根菜類は根が鉛直下方に伸びる性質を有する。このためこれらの根菜類を収穫する際には根菜類を傷つけないように気をつけながら地中深くまで掘り起こさなければならず収穫作業に大きな労力と時間が必要であった。
【０００３】
そこで、長手方向に連続した直線状の割れ目を有する円筒状パイプであって、その一方端部が前記割れ目を外方に展開されて略平面状にされた、根の伸展方向を誘導する器具が開発され実用化されている（例えば特許文献１を参照）。この根誘導器具の使用に際しては、略平面状にされた端部が上になるように位置させて根誘導器具を水平方向に対して１０°〜２０°程度斜めにして地中に埋設し、前記略平面状にされた端部の上方に種芋が植え付けられる。すると、種芋から伸び出した根が略平面状の端部から器具内に進入し器具の内壁に沿って斜め下方向に伸展する。そして収穫の際は器具ごと掘り出して器具の長手方向に形成されている割れ目を拡げて器具内から根菜類を取り出す。
【０００４】
このような器具の使用によれば収穫作業の労力が従来よりは軽減されるものの、植え付けの際には複数本の器具の各々に培土を充填する作業や複数本の器具を地中へ埋設する業、そして収穫の際には、培土と根が詰まった前記器具を一本ずつ引き抜く作業や前記器具から根を取り出す作業といった重労働が依然として必要であった。
【０００５】
そこで植え付け作業や収穫作業の労力の更なる軽減を図るために、ブロック体などで所定の囲閉空間を形成し、囲閉空間の上部に土壌を盛り種芋を植え付ける技術が提案されている（例えば特許文献２を参照）。
【先行技術文献】
【特許文献】
【０００６】
【特許文献１】特開平１０−２４８３７５号公報
【特許文献２】特開２００４−５７０４０号公報
【発明の概要】
【発明が解決しようとする課題】
【０００７】
前記提案技術によれば複数本の根誘導器具を地中に埋設する必要がなく、また根菜類を掘り出す労力が従来に比べて大幅に軽減されると推測される。
【０００８】
しかしながら、地上にブロック体などで囲閉空間を作成する労力が新たに必要となる。また山芋などの根は通常１ｍ近く伸びるところ、地上に１ｍ以上のブロック体を単に積み上げた構造物は台風などの強風や地震などで倒壊するおそれがある。
【０００９】
そこで本発明はこのような従来の問題に鑑みてなされたものであり、その目的は、組み立て作業及び解体作業が比較的容易にでき、また収穫が容易にでき、しかも強風や地震などによる倒壊のおそれのない大型根菜類の栽培装置及び栽培キットを提供することにある。
【００１０】
また本発明の他の目的は、組立及び解体が容易で、搬送時及び保管時において嵩張らない栽培装置及び栽培キットを提供することにある。
【課題を解決するための手段】
【００１１】
前記目的を達成する本発明に係る大型根菜類の栽培装置は、所定距離隔てて対向配置された矩形状の一対の主板と、前記一対の主板の水平方向両端部の各々に当接する矩形状の一対の側板とで形成される上面開口の四角柱状の箱体と、前記一対の主板の水平方向両端部の下方に配置される一対のアンカー部材と、前記一対のアンカー部材に取り付けられた少なくとも一対の支持部材とを備え、前記一対の支持部材は所定距離隔てて対向配置され、前記一対の支持部材の対向する内側面が前記箱体の対向する外側面に当接することによって、前記箱体の位置決め及び略垂直支持がなされることを特徴とする。
【００１２】
前記構成の栽培装置において、前記一対の支持部材が、前記一対のアンカー部材の各々に取り付けられた板状の一対の支持片である構成としてもよい。
【００１３】
また前記構成の栽培装置において、前記一対の支持部材が、屈曲した一対の筒状部材であって、前記一対の筒状部材の各々の一方側端部が前記一対のアンカー部材の一方に接続し、前記筒状部材の他方側端部が前記一対のアンカー部材の他方に接続する構成としてもよい。
【００１４】
また前記構成の栽培装置において、一対の支持杭と、一対の紐状部材とから構成される、前記箱体の略垂直状態の支持を補強する第１支持補強機構をさらに備え、前記一対の支持杭の各々は、前記箱体の対向する外側面から該外側面に対して垂直方向に所定距離隔てて設置され、前記一対の紐状部材の各々は、一方端が前記一対の支持部材の各々に接続され、他方端は前記箱体の上端を対向側に渡って対向側に設置された前記支持杭に接続される構成としてもよい。
【００１５】
また前記構成の栽培装置において、前記第１支持補強機構が水平方向に所定間隔で少なくとも２組設けられている構成としてもよい。
【００１６】
また前記構成の栽培装置において、長手方向略中央部に略直角に屈曲した屈曲部を有する一対の棒状部材と、前記一対の棒状部材を前記箱体に対して取り外し可能又は揺動可能に取り付ける一対の取付部材とから構成される、前記箱体の略垂直状態の支持を補強する第２支持補強機構をさらに備え、前記第２支持補強機構が前記箱体の略垂直状態の支持を補強する状態において、前記棒状部材の屈曲部から一方端側へ向かう一方の棒状部が前記箱体の外面に当接し、前記棒状部材の屈曲部から他方端側へ向かう他方の棒状部が装置設置面に当接し、前記箱体の略垂直状態の支持が補強される構成としてもよい。
【００１７】
また前記構成の栽培装置において、前記他方の棒状部が板状体又は棒状体を介して装置設置面に当接する構成としてもよい。
【００１８】
また前記構成の栽培装置において、前記第２支持補強機構が水平方向に所定間隔で少なくとも２組設けられている構成としてもよい。
【００１９】
また前記構成の栽培装置において、前記２組の第２支持補強機構における前記他方の棒状部が共通の板状体又は棒状体を介して装置設置面に当接する構成としてもよい。
【００２０】
また前記構成の栽培装置において、前記箱体の外側面に対して略垂直方向に立設し、前記箱体の外側面に側端が当接する一対の補強板から構成される、前記箱体の略垂直状態の支持を補強する第３支持補強機構をさらに備える構成としてもよい。
【００２１】
また前記構成の栽培装置において、前記一対の補強板が、前記箱体の外側面に対して略垂直方向に立設した作用位置と、前記箱体の外側面と重なるように折り畳まれた折り畳み位置とに揺動可能である構成としてもよい。
【００２２】
また前記構成の栽培装置において、前記第３支持補強機構が水平方向に所定間隔で少なくとも２組設けられている構成としてもよい。
【００２３】
また前記構成の栽培装置において、前記一対の主板及び／又は前記一対の側板の少なくとも一部が透明部材で構成され、前記箱体内が視認可能とされている構成としてもよい。
【００２４】
また前記構成の栽培装置において、前記一対の主板及び／又は前記一対の側板が折り畳み可能である構成としてもよい。
【００２５】
また本発明によれば、大型根菜類を栽培するのに使用する栽培キットであって、矩形状の一対の主板と、矩形状の一対の側板と、一対のアンカー部材と、一対の支持部材とを備え、前記一対の主板は所定距離隔てて対向配置され、前記一対の側板は、前記一対の主板の水平方向両端部の各々に当接するように配置されて、上面開口の四角柱状の箱体が形成され、前記一対のアンカー部材は、前記一対の主板の水平方向両端部の下方に配置され、前記一対の支持部材は、前記一対のアンカー部材に取り付けられ、前記箱体の位置決めを行うとともに前記箱体を略垂直に支持することを特徴とする大型根菜類の栽培キットが提供される。
【００２６】
前記構成の栽培キットにおいて、一対の支持杭と、一対の紐状部材とをさらに備え、前記一対の支持杭の各々は、前記箱体の対向する外側面から該外側面に対して垂直方向に所定距離隔てて設置され、前記一対の紐状部材の各々は、一方端が前記一対の支持部材の各々に接続され、他方端は前記箱体の上端を対向側に渡って対向側に設置された前記支持杭に接続される構成としてもよい。
【００２７】
前記構成の栽培キットにおいて、長手方向略中央部に略直角に屈曲した屈曲部を有する一対の棒状部材と、前記一対の棒状部材を前記箱体に対して取り外し可能又は揺動可能に取り付ける一対の取付部材とをさらに備え、前記棒状部材の屈曲部から一方端側へ向かう一方の棒状部が前記箱体の外面に当接し、前記棒状部材の屈曲部から他方端側へ向かう他方の棒状部が装置設置面に当接し、前記箱体の略垂直状態の支持が補強される構成としてもよい。
【発明の効果】
【００２８】
本発明の栽培装置及び栽培キットによれば、組み立て作業及び解体作業が比較的容易にできると共に収穫も容易にでき、しかも強風や地震などによる倒壊が抑制される。
【図面の簡単な説明】
【００２９】
【図１】第１実施形態の栽培装置を示す斜視図である。
【図２】第１実施形態の栽培装置を示す正面図である。
【図３】第１実施形態の栽培装置を示す側面図である。
【図４】第１実施形態の栽培装置の組み立て工程図である。
【図５】第１実施形態の栽培装置の組み立て工程図である。
【図６】第２実施形態の栽培装置を示す正面図である
【図７】第２実施形態の栽培装置を示す側面図である。
【図８】第３実施形態の栽培装置を示す斜視図である。
【図９】第４実施形態の栽培装置を示す正面図である。
【図１０】第４実施形態の栽培装置を示す側面図である。
【図１１】第５実施形態の栽培装置を示す側面図である。
【図１２】折り畳み可能な主板の斜視図である。
【発明を実施するための形態】
【００３０】
本発明に係る大型根菜類の栽培装置（以下、単に「栽培装置」と記すことがある。）について図に基づいて以下説明するが、本発明はこれらの実施形態に何ら限定されるものではない。また本明細書における上下方向、左右方向（水平方向）及び前後方向は図１に示す方向をいうものとする。
【００３１】
（第１実施形態）
図１に本発明に係る栽培装置の一実施形態を示す斜視図を示し、図２に正面図、図３に図２の左側面図をそれぞれ示す。これらの図に示す栽培装置ＣＥ１は、上面及び下面が開口とされた四角柱状の箱体１と、箱体１の左右方向両端部の下方に配置された一対のアンカー部材２１ａ，２１ｂと、一対のアンカー部材２１ａ，２１ｂの各々に取り付けられた一対の支持部材３１ａ，３１ｂ及び支持部材３２ａ，３２ｂとを有する。一対のアンカー部材２１ａ，２１ｂは上面が地表と略面一となるように地中に埋設され、箱体１の下面開口は地表によって塞がれている。そして、箱体１は２組の第１支持補強機構４Ａ，４Ｂによって倒壊しないよう支持補強されている。以下、各部材について説明する。
【００３２】
（箱体）
箱体１は、左右方向（水平方向）に長い長方形状を有する一対の主板１１ａ，１１ｂと、一対の主板１１ａ，１１ｂの左右方向両端部の各々に当接する上下方向に長い長方形状を有する一対の側板１２ａ，１２ｂとで形成される。一対の主板１１ａ，１１ｂは同一の形状を有し、前後方向に所定距離隔てて対向配置される。主板１１ａ，１１ｂの前後方向の離隔距離は側板１２ａ，１２ｂの前後方向の長さによって定まる。主板１１ａ，１１ｂの左右方向両端部の向かい合う内面には、上下方向に所定距離隔てて略コ字状に屈曲された留め具５１ａ〜５１ｄが取り付けられている。この留め具５１ａ〜５１ｄによって側板１２ａ，１２ｂの位置決めがなされると共に、側板１２ａ，１２ｂの左右方向外方への倒れが防止される。主板１１ａ，１１ｂ及び側板１２ａ，１２ｂの厚みは箱体１内に充填する培土の圧力によって割れや撓みが生じない範囲において適宜決定すればよく、通常１ｃｍ〜３ｃｍ程度が好ましい。また主板１１ａ，１１ｂ及び側板１２ａ，１２ｂの上下方向高さは、栽培する根菜類の種類すなわち根の長さ等を考慮して適宜決定すればよく、通常１００ｃｍ程度で足りる。なお、後述するロープ（紐状部材）４２ａ〜４２ｄによる箱体１の垂直状態の補強の際に、主板１１ａ，１１ｂの左右方向両端から外側にロープ４２ａ〜４２ｄが外れないように側板１２ａ，１２ｂの上端が主板１１ａ，１１ｂの上端よりも高くなるように設定するのが望ましい。側板１２ａ，１２ｂの上端と主板１１ａ，１１ｂの上端との高さの差は数ｃｍ程度あればよい。主板１１ａ，１１ｂの左右方向の長さに特に限定はないが１５０ｃｍ〜２００ｃｍ程度が好ましい。また側板１２ａ，１２ｂの前後方向の長さは、栽培する根菜類の種類等から適宜決定すればよいが、通常１０ｃｍ〜１５ｃｍ程度が好ましい。
【００３３】
なお、主板１１ａ，１１ｂ及び側板１２ａ，１２ｂの全部又は一部を透明部材で構成し、箱体１内を視認可能としてもよい。これにより大型根菜類の根の成長が観察可能となり根菜類の根の生育状況や収穫時期を目視により直接判断可能となる。また本発明の栽培装置は学校等において根菜類の根の成長等を直接観察できる学習用装置として使用することも可能となる。
【００３４】
（アンカー部材）
一対のアンカー部材２１ａ，２１ｂは同一の形状を有するので、ここでは代表してアンカー部材２１ａについて説明する。アンカー部材２１ａは直方体形状を有し、上面には一対の支持部材３１ａ，３１ｂが取り付けられている。アンカー部材２１ａは支持部材３１ａ，３１ｂと共に箱体１の垂直状態を支持する役割を奏する。したがってアンカー部材２１ａはある程度の重量を有する必要があり、材質としてはコンクリート材などが好適に使用される。例えばアンカー部材２１ａとして、Ｕ字側溝やブロックなどの空洞部にコンクリートを充填して使用することも可能である。その他、箱体１の倒れを抑制する観点からはアンカー部材２１ａは重い方がよく、また前後方向に長い方がよいが、アンカー部材２１ａが重く前後方向に長くなると輸送性及び取り扱い性などが悪くなる。したがってこれらの長所と短所を考慮してアンカー部材２１ａの形状及び材質等を決定する必要がある。例えば、アンカー部材２１ａを空洞容器から構成し、栽培装置の設置場所において空洞容器内に水等の液体を充填して所定の重量を確保するようにしてもよい。
【００３５】
アンカー部材２１ａ，２１ｂは、主板１１ａ，１１ｂの左右方向両端部の下方に上面が地面（装置設置面）と略面一となるように埋設される。これにより、アンカー部材２１ａ，２１ｂ上に箱体１が位置決め固定されると、箱体１の下面開口は地面によって封鎖される。このような構成によれば、根菜類の根が箱体１の長さ以上に成長した場合でも、箱体１の下面開口から地中へと根の進出が可能となるので、根の下方への進出が阻止されることによる根の下端部が膨張異形となることが抑制される。
【００３６】
なお、本実施形態ではアンカー部材２１ａ，２１ｂは主板１１ａ，１１ｂの左右方向両端部の２カ所に設置されているが、アンカー部材２１ａ，２１ｂは主板１１ａ，１１ｂの左右方向に３カ所以上設置しても勿論構わない。アンカー部材２１ａ，２１ｂの設置個数が増えるほど箱体１の垂直支持は強固なものとなる。
【００３７】
（支持部材）
支持部材３１ａ，３１ｂ及び支持部材３２ａ，３２ｂはアンカー部材２１ａ，２１ｂの上面に所定距離を隔てて対向配置される。アンカー部材２１ａ，２１ｂから露出している支持部材３１ａ，３１ｂ及び支持部材３２ａ，３２ｂは上下方向に細長い板状の支持片であって、下部はアンカー部材２１ａ，２１ｂに固定され上端部には貫通孔３１１が形成されている。支持部材３１ａ，３１ｂ及び支持部材３２ａ，３２ｂは箱体１を支持する役割を有することから高い剛性を有するものが望ましく、例えば鋼板などが好適に使用される。支持部材３１ａ，３１ｂ及び支持部材３２ａ，３２ｂのアンカー部材２１ａ，２１ｂへの取り付けは、例えば支持部材３１ａ，３１ｂ及び支持部材３２ａ，３２ｂとしてＬ字状のアングルを使用する場合には、アンカー部材２１ａ，２１ｂとしてのＵ字側溝やブロックなどの空洞部にアングルを挿入してアングルの平面部分がアンカー部材２１ａ，２１ｂの表面から垂直に露出するようにした後、前記空洞部にコンクリートを充填してアンカー部材２１ａ，２１ｂにアングルを固定すればよい。支持部材３１ａ，３１ｂ及び支持部材３２ａ，３２ｂのアンカー部材２１ａ，２１ｂの表面から上方への突出長さは２０ｃｍ以上５０ｃｍ以下程度が好ましい。
【００３８】
支持部材３１ａ，３１ｂ及び支持部材３２ａ，３２ｂの前後方向の距離は、主板１１ａ，１１ｂの厚みと側板１２ａ，１２ｂの前後方向の長さから定まる。換言すると、一対の支持部材３１ａ，３１ｂ及び支持部材３２ａ，３２ｂの対向する内側面が主板１１ａ，１１ｂの外側面に当接することによって、箱体１の位置決め及び略垂直支持がなされる。支持部材３１ａ，３１ｂ及び支持部材３２ａ，３２ｂの上端部に形成された貫通孔３１１には、後述する第１支持補強機構のロープ４２ａ〜４２ｄの各々の一方端が接続される。
【００３９】
（第１支持補強機構）
本実施形態において第１支持補強機構４Ａ，４Ｂは支持杭４１ａ〜４１ｄとロープ４２ａ〜４２ｄとから構成される。４本の支持杭４１ａ〜４１ｄは、主板１１ａ，１１ｂの左右方向両端部の外側面から外側面に対して垂直方向に所定距離隔てた位置に打設されている。支持杭４１ａ〜４１ｄの主板１１ａ，１１ｂの外側面からの垂直距離は主板１１ａ，１１ｂの上下方向高さによって適宜決定すればよく、例えば主板１１ａ，１１ｂの上下方向高さが１００ｃｍであれば、支持杭４１ａ〜４１ｄの設置位置は主板１１ａ，１１ｂの外側面から１００ｃｍ〜１５０ｃｍ程度離れた位置が好ましい。支持杭４１ａ〜４１ｄは、棒状の本体部４１１と、本体部４１１の上端に形成されたフック部４１２とを有する。支持杭４１ａ〜４１ｄの本体部４１１は下方に向かって箱体１に接近する方向に傾斜して、本体部４１１の全体が地中に埋まるように地面（設置面）打設されている。すなわち地表にはフック部４１２だけが露出している。なお、フック４１２からロープ４２ａ〜４２ｄが不用意に外れることがないようフック部４１２の開口部分は箱体１の方向とは反対の方向を向くようにする。
【００４０】
ロープ４２ａの一方端は支持部材３１ｂの先端部に形成された貫通穴３１１に接続され、ロープ４２ａの他端は前後方向反対側に打設されている支持杭４１ａのフック部４１２に張力がかかった状態で接続されている。すなわち、支持部材３１ｂの先端部に一方端が接続されたロープ４２ａは主板１１ｂを上方に昇って上端に至り、主板１１ｂの上端を対向する主板１１ａの上端に渡って、対向側に打設されている支持杭４１ａのフック部４１２に接続される。同様にして、支持部材３１ａの先端部に一方端が接続されたロープ４２ｂは主板１１ａを上方に昇って上端に至り、主板１１ａの上端を対向する主板１１ｂの上端に渡って、対向側に打設されている支持杭４１ｂのフック部４１２に接続される。このようにして２本のロープ４２ａ，４２ｂが、図３に示すように、箱体１の前後方向中央を中心として前後対称に張架され第１支持補強機構４Ａが構成される。また図２に示すように、左右方向に対称にもう一つの第１支持補強機構４Ｂが設けられ、箱体１は２組の第１支持補強機構４Ａ，４Ｂによって垂直状態の保持が補強されている。
【００４１】
本実施形態では２組の第１支持補強機構４Ａ，４Ｂが箱体１の左右方向に対称に設けられているが、１組の第１支持補強機構を箱体１の左右方向中央部に設けてもよい。あるいは、３組以上の第１支持補強機構を箱体１の左右方向に所定間隔で設けてもよい。また、第１支持補強機構で使用する紐状部材はロープに限定されるものではなく従来公知のものが使用でき、例えばワイヤーなども使用可能である。
【００４２】
（栽培装置の設置）
次に、以上説明した栽培装置ＣＥ１の設置方法について説明する。なお、左右の側面から見た工程図は同じになるので、ここでは栽培装置ＣＥ１を左側から見た側面図によって栽培装置ＣＥ１の設置方法を説明する。図４及び図５に栽培装置ＣＥ１を左側から見た装置設置の工程図である。
【００４３】
まず、栽培装置ＣＥ１の設置場所にアンカー部材２１ａ（２１ｂ）を埋設するための穴が掘られる。穴の深さはアンカー部材２１ａ（２１ｂ）の高さと略同一程度である。すなわち、アンカー部材２１ａ（２１ｂ）が穴に埋設された際にアンカー部材２１ａ（２１ｂ）の表面が地面と面一となるようにされる（図４（ａ））。次に、アンカー部材２１ａ（２１ｂ）の上面に固定された一対の支持部材３１ａ，３１ｂ（支持部材３２ａ，３２ｂ）の間に一対の主板１１ａ，１１ｂが差し入れられる（図４（ｂ））。そして、一対の主板１１ａ，１１ｂの左右方向両端部に一対の側板１２ａ（１２ｂ）が上方から差し入れられる（図４（ｃ））。一対の支持部材３１ａ，３１ｂ（支持部材３２ａ，３２ｂ）の前後方向の距離は、一対の主板１１ａ，１１ｂの厚さと側板１２ａ（１２ｂ）の前後方向長さとの和に等しいか若干大きく設定されているので、対向する一対の主板１１ａ，１１ｂの内側面間に側板１２ａ（１２ｂ）が差し入れられると、主板１１ａ，１１ｂ及び側板１２ａ（１２ｂ）の前後方向の位置決めが一対の支持部材３１ａ，３１ｂ（支持部材３２ａ，３２ｂ）によってなされる。また、側板１２ａ（１２ｂ）の左右方向の位置決めは、主板１１ａ，１１ｂの対向する内側面に取り付けられた留め具５１ａ〜５１ｄに左右方向内方から当接することでなされる。また、この留め具５１ａ〜５１ｄによって側板１２ａ（１２ｂ）の左右方向外方への倒れが防止される。以上の工程によって箱体１が形成されるとともに、箱体１が支持部材３１ａ，３１ｂ（支持部材３２ａ，３２ｂ）によって略垂直に支持される。
【００４４】
次に、主板１１ａ，１１ｂの外側面から所定距離隔てた位置に支持杭４１ａ，４１ｂ（４１ｃ，４１ｄ）が打ち込み設置される。支持杭４１ａ，４１ｂ（４１ｃ，４１ｄ）の設置は箱体１の略垂直支持完了後であってもよいし、アンカー部材２１ａ（２１ｂ）を埋設する時であってもよい。そして、支持部材３１ａの先端に形成されている貫通穴３１１にロープ４２ｂの一方端が接続され、ロープ４２ｂの他端が支持杭４１ｂのフック部４１２に張力がかかった状態で接続される（図５（ｃ））。次いで、同様にして、支持部材３１ｂの先端の貫通穴３１１と支持杭４１ａのフック部４１２との間にロープ４２ａが張力がかかった状態で接続される（図５（ｄ））。なお、側板１２ａ（１２ｂ）の上端は主板１１ａ，１１ｂの上端よりも高く設定されており、ロープ４２ａ，４２ｂ（ロープ４２ｃ，４２ｄ）が主板１１ａ，（１１ｂ）の上端部において側板１２ａ（１２ｂ）よりも左右方向中央寄りを通ることにより、ロープ４２ａ，４２ｂ（ロープ４２ｃ，４２ｄ）が主板１１ａ（１１ｂ）の左右方向両端から外側に外れないようにされている。
【００４５】
（栽培）
以上のようにして設置された栽培装置ＣＥ１の箱体１内に培土が充填される。充填する培土は、栽培する根菜類の種類により適宜決定される。箱体１内に培土が充填されると、培土の重量によって主板１１ａ，１１ｂが前後方向外方に撓む場合がある。このような場合には、主板１１ａ，１１ｂの前後方向外方への撓みを抑制するため、主板１１ａ，１１ｂの左右方向中央部の上端に主板１１ａ，１１ｂ間の間隔の拡がりを規制する下部開口のコ字状の規制部材５２を嵌め入れるのがよい（図１及び図２に図示）。また、根菜類から伸び出る蔓を支持するための支柱が培土に差し立てられ支柱間にはネットが張り渡される。そして根菜類の種子あるいは種芋が箱体１内に充填された培土に播種または植え付けられる。播種又は植え付け後は必要により灌水及び追肥が行われる。
【００４６】
（収穫）
根菜類が所望の大きさまで生育すれば収穫が行われる。収穫作業は、栽培装置ＣＥ１を設置したときと逆の手順で解体することにより行われる。具体的には、支持部材３１ａ，３１ｂ及び支持部材３２ａ，３２ｂの先端の貫通穴３１１と支持杭４１ａ〜４１ｄのフック部４１２との間に張架されたロープ４２ａ〜４２ｄが外される。そして一対の主板１１ａ，１１ｂの一方又は両方が上方に引き上げられて支持部材３１ａ，３１ｂ及び支持部材３２ａ，３２ｂとの当接が解消される。主板１１ａ，１１ｂが支持部材３１ａ，３１ｂ及び支持部材３２ａ，３２ｂから外れると、箱体１内の培土が自重によって外方に流れ出し、根菜類の生長した根の一部又は全部が露出する。そして、必要により根菜類の根の周りの培土が取り除かれ根菜類が根と共に取り出される。
【００４７】
本発明に係る栽培装置によれば、収穫の際に従来のような地面から根菜類を掘り出す必要が無く、収穫作業にかかる労力が大幅に軽減される。また掘り出す際に根菜類の根を傷つけるおそれも従来に比べて格段に少なくなる。加えて本発明に係る栽培装置によれば、円筒状パイプの根誘導器具を用いた従来の栽培装置に比べて単位面積当たりの収穫量が約３倍程度にもなる。
【００４８】
（第２実施形態）
図６に本発明に係る栽培装置の第２実施形態を示す正面図、図７に図６の左側面図をそれぞれ示す。これらの図に示す栽培装置ＣＥ２は、アンカー部材２１ａ，２１ｂを埋設せずに装置の設置面に載置する場合の実施形態例である。以下、第２実施形態の栽培装置ＣＥ２について第１実施形態の栽培装置ＣＥ１と異なる点を中心に説明する。なお、第１実施形態と同一の部材及び部分には同一符号を付し、その説明については省略することがある。
【００４９】
本実施形態の栽培装置ＣＥ２ではアンカー部材２１ａ，２１ｂが設置面に埋設されないので、箱体１の下面開口が設置面によって封鎖されず、箱体１内に培土が充填された場合には主板１１ａ，１１ｂの下端と設置面との間の空間から培土が流出することになる。そこで、主板１１ａ，１１ｂの下端と設置面との間の空間を封鎖するため、左右方向の長さがアンカー部材２１ａとアンカー部材２１ｂとの内側面間隔と同一で、上下方向の長さが設置面から主板１１ａ，１１ｂの下端までの長さ以上である一対の補助板１３ａ，１３ｂが主板１１ａ，１１ｂの内側面に接触するように前後方向に対向して配置される。また、本実施形態では設置面上に底板１４が配置され補助板１３ａ，１３ｂの下端が底板１４に当接している。
【００５０】
また図７に示すように、第１支持補強機構４Ａを構成する支持杭４１ａ，４１ｂがアンカー部材２１ａの前後方向両側面に固定配置されている。そして、支持部材３１ｂの先端に形成されている貫通穴３１１にロープ４２ａの一方端が接続され、ロープ４２ａの他端が支持杭４１ａのフック部４１２に張力がかかった状態で接続される。同様にして、支持部材３１ａの先端の貫通穴３１１と支持杭４１ｂのフック部４１２との間にロープ４２ｂが張力がかかった状態で接続される。もう一つの第１支持補強機構４Ｂ（図６に図示）においても同様にして、支持杭４１ｃ、４１ｄと支持部材３１ｃ、３１ｄの貫通孔３１１との間にロープ４２ｃ，４２ｄが張力がかかった状態で接続される。
【００５１】
このような構成の栽培装置ＣＥ２によれば、アンカー部材２１ａ，２１ｂを埋設するための穴を掘ることができない場所、例えば装置設置面がコンクリート面である場所であっても栽培装置の設置が可能となる。
【００５２】
（第３実施形態）
図８に本発明に係る栽培装置の第３実施形態を示す斜視図を示す。この図に示す栽培装置ＣＥ３は、第１実施形態の栽培装置ＣＥ１に２組の第２支持補強機構５Ａ，５Ｂを設けたものである。以下、本実施形態の栽培装置ＣＥ３について図に基づいて説明するが第１実施形態と同一の部材及び部分には同一符号を付し、その説明については省略する。
【００５３】
本実施形態における第２支持補強機構５Ａ，５Ｂは、Ｌ字状に屈曲された鋼材からなる棒状部材５１ａ〜５１ｄと、棒状部材５１ａ〜５１ｄの外径よりも大きい内径を有する円筒状の取付部材５２ａ〜５２ｄと、棒状部材５１ａ〜５１ｄの端部が係入可能な貫通孔５３１を有する角材（棒状体）５３ａ，５３ｂとから構成される。
【００５４】
取付部材５２ａ〜５２ｄは主板１１ａ，１１ｂの外側面に左右方向に所定距離隔てて対称に固定金具によって固定される。そして、棒状部材５１ａ〜５１ｄの屈曲部５１１から上方に延在する棒状部５１２が取付部材５２ａ〜５２ｄ内に挿通される。この棒状部５１２の取付部材５２ａ〜５２ｄへの挿通は主板１１ａ，１１ｂが支持部材３１ａ，３１ｂ及び支持部材３２ａ，３２ｂによって位置決め設置される前に行われる。そしてその後に主板１１ａ，１１ｂが支持部材３１ａ，３１ｂ及び支持部材３２ａ，３２ｂによって位置決め設置される。設置面と取付部材５２ａ〜５２ｄの下端開口との距離が棒状部材５１ａ〜５１ｄの棒状部５１２の長さよりも短く、また前述のように、取付部材５２ａ〜５２ｄの内径は棒状部５１２の外径よりも大きいので、棒状部材５１ａ〜５１ｄは棒状部５１２を中心として揺動可能に取付部材５２ａ〜５２ｄに取り付けられる。一方、棒状部材５１ａ〜５１ｄの屈曲部５１１から水平に延在する棒状部５１３は、主板１１ａ，１１ｂに対して垂直となるように揺動調整された後、左右方向に延在するように配置された角材５３ａ，５３ｂの貫通孔５３１に先端部が挿通される。
【００５５】
このような構成の第２支持補強機構５Ａ，５Ｂによれば、例えば台風による強風などによって主板１１ａ，１１ｂに対して前後方向に大きな力が加わった場合には、棒状部材５１ａ〜５１ｄの棒状部５１２が主板１１ａ，１１ｂの外側面に取付部材５２ａ〜５２ｄを介して当接する一方、棒状部５１３は角材５３ａ，５３ｂを介して設置面に当接するので、第１支持補強機構４ａ，４Ｂと相俟って箱体１の垂直状態の支持が補強され箱体１の倒れが確実に防止される。
【００５６】
なお、角材５３ａ，５３ｂは、装置の設置面が柔らかい場合において、棒状部材５１ａ〜５１ｄに力が加わったときに棒状部５１３が設置面に沈み込むのを抑制するためのものであり、設置面が強固な場合には不要である。また、角材は棒状部材５１ａ〜５１ｄの各々に個別に設けてもよいが、設置安定性などの観点からは前後方向の主板１１ａ，１１ｂから離隔した位置に１つずつ配置するのが好ましい。また、角材５３ａ，５３ｂに代えて板状体を用いてもよい。すなわち、棒状部材５１ａ〜５１ｄの棒状部５１３が設置面上に配置された板状体上に当接するようにしてもよい。
【００５７】
第２支持補強機構５Ａ，５Ｂを解体する場合は棒状部５１３の先端から角材５３ａ，５３ｂが引き抜かれ、棒状部５１２を中心として棒状部材５１ａ〜５１ｄが回転されて棒状部５１３が主板１１ａ，１１ｂの外側面に沿うよう畳まれる。あるいは主板１１ａ，１１ｂが支持部材３１ａ，３１ｂ及び支持部材３２ａ，３２ｂから取り外される際に、棒状部材５１２は取付部材５２ａ〜５２ｄから引き抜かれる。このように特別な工具を要することなく第２支持補強機構は解体可能である。
【００５８】
（第４実施形態）
図９に第４実施形態に係る栽培装置の組み立て斜視図、図１０に組み立て後の斜視図をそれぞれ示す。本実施形態の栽培装置ＣＥ４が第１実施形態の栽培装置ＣＥ１と異なる点は支持部材３３ａ，３３ｂ及びこれを支持するアンカー部材２２ａ，２２ｂである。以下、この支持部材３３ａ，３３ｂ及びアンカー部材２２ａ，２２ｂを中心に説明する。なお、第１実施形態と同一の部材及び部分には同一符号を付し、その説明については省略することがある。
【００５９】
（支持部材）
本実施形態の栽培装置ＣＥ４における支持部材３３ａ，３３ｂは、水平部３３１と、水平部３３１の左右方向両端から垂下する垂直部３３２ａ，３３２ｂとが一体に屈曲成形されたコ字状の円筒状部材である。水平部３３１の左右方向の長さは一対のアンカー部材２２ａ，２２ｂの設置間隔に対応し、垂直部３３２ａ，３３２ｂの上下方向長さは主板１１ａ，１１ｂの上下方向長さの５０％以上１００％以下程度である。
【００６０】
（アンカー部材）
本実施形態で使用されるアンカー部材２２ａ，２２ｂは直方体形状を有し、上面には前後方向に所定距離隔てて２つの係止穴２２１，２２２が設けられている。係止穴２２１，２２２の内径は支持部材３３ａ，３３ｂの垂直部３３２ａ，３３２ｂの外径と同じか若干大きく設定されている。また係止穴２２１，２２２の前後方向の離隔距離は、箱体１の前後方向長さと同じか若干大きく設定されている。
【００６１】
（組み立て）
まずアンカー部材を２２ａ，２２ｂ埋設するための穴が設置面に掘られアンカー部材２２ａ，２２ｂが埋設される。アンカー部材２２ａ，２２ｂの左右方向の間隔は、係止穴２２１，２２２の左右方向の間隔が支持部材３３ａ，３３ｂの水平部３３１の長さと一致するようにする。次に、アンカー部材２２ａの係止穴２２１，２２２及びアンカー部材２２ｂの係止穴２２１，２２２に支持部材３３ａ，３３ｂの垂直部３３２ａ及び垂直部３３２ｂが係入され、支持部材３３ａ，３３ｂはアンカー部材２２ａ，２２ｂに立設する。以下、第１実施形態の栽培装置ＣＥ１と同様にして、主板１１ａ，１１ｂ及び側板１２ａ，１２ｂが支持部材３３ａ，３３ｂ間に位置決め配置されて箱体１が形成される。そして、図１０に示すように、第１実施形態と同様にして、ロープ４２ａ〜４２ｄと支持杭４１ａ〜４１ｄとから構成される２組の第１支持補強機構４Ａ，４Ｂが組み付けられる。なお、本実施形態の場合、ロープ４２ａ〜４２ｄの一方端は支持部材３３ａ，３３ｂの水平部３３１の左右方向両端部付近に接続される。
【００６２】
本実施形態の栽培装置ＣＥ４において、図８に例示した第２支持補強機構５Ａ，５Ｂを必要によりさらに設けてもよい。また、アンカー部材２２ａ，２２ｂが埋設できない場合には、図６及び図７に例示した第２実施形態の栽培装置ＣＥ２のように、アンカー部材２２ａ，２２ｂの前後方向両側面に支持杭４１ａ〜４１ｄを設けてロープ４２ａ〜４２ｄの一方端を接続する構成としてもよい。
【００６３】
（第５実施形態）
図１１に本発明に係る栽培装置の第５実施形態を示す斜視図を示す。この図に示す栽培装置ＣＥ５は、第１実施形態の栽培装置ＣＥ１の２組の第１支持補強機構４Ａ，４Ｂに代えて２組の第３支持補強機構６Ａ，６Ｂを設けたものである。以下、本実施形態の栽培装置ＣＥ５について図に基づいて説明するが第１実施形態と同一の部材及び部分には同一符号を付し、その説明については省略する。
【００６４】
本実施形態における第３支持補強機構６Ａ，６Ｂは直角三角形状の２組の補強板６１ａ，６１ｂ及び補強板６１ｃ，６１ｄから構成され、左右方向に所定距離隔てて設けられている。補強板６１ａ〜６１ｄは、直角をなす底辺と側辺とが装置設置面と主板１１ａ，１１ｂとにそれぞれ当接し、主板１１ａ，１１ｂに対して垂直方向に設置される。補強板６１ａ〜６１ｄの主板１１ａ，１１ｂと当接する側辺の左右方向内方面と主板１１ａ，１１ｂとの間には、上下方向に所定距離を隔てて２つの蝶番６３ａ，６３ｂが設けられ、補強板６１ａ〜６１ｄの主板１１ａ，１１ｂと当接する側辺を中心として補強板６１ａ〜６１ｄは揺動可能とされている。すなわち、補強板６１ａ〜６１ｄは、主板１１ａ，１１ｂの外側面に対して垂直方向に立設した作用位置（図１１に示す位置）と、補強板６１ａ〜６１ｄの主板１１ａ，１１ｂと当接する側辺を中心として補強板６１ａ〜６１ｄの自由端側が主板１１ａ，１１ｂの左右方向中央部側に揺動して主板１１ａ，１１ｂと重なるように折り畳まれた折り畳み位置とに揺動可能とされている。これにより、栽培装置ＣＥ５の組み立て時及び解体時において補強板６１ａ〜６１ｄは主板１１ａ，１１ｂと一体に取り扱うことが可能となり作業性や取り扱い性が向上する。
【００６５】
また補強板６１ａ〜６１ｄが作用位置にあるとき、風などの外力によって意図せず折り畳み位置の方向に揺動するのを防止するために、補強板６１ａ〜６１ｄの自由端側がＵ字状の固定具６２によって装置接地面に固定される。より詳細には、Ｕ字状の固定具６２の対向する一対の直線状部間に補強板６１ａ〜６１ｄの自由端側が挟み込まれ固定具６２の一対の直線状部が装置接地面に打ち込まれて、補強板６１ａ〜６１ｄの自由端側が装置接地面に固定される。補強板６１ａ〜６１ｄの自由端側を固定する固定具としては固定具６２に限定されるものではなく、補強板６１ａ〜６１ｄの揺動を防止する作用を奏するものであれば従来公知のものが使用可能である。
【００６６】
なお、栽培した根菜類を収穫するときなど栽培装置ＣＥ５が解体される場合には、まず固定具６２が装置接地面から引き抜かれ、次いで補強板６１ａ〜６１ｄが作用位置から折り畳み位置に揺動される。その後の手順は実施形態１の栽培装置ＣＥ１と同じである。
【００６７】
本実施形態の栽培装置ＣＥ５において、第１支持補強機構４Ａ，４Ｂや第２支持補強機構５Ａ，５Ｂを必要によりさらに設けてもよい。また、アンカー部材２２ａ，２２ｂが埋設できない場合には、図６及び図７に例示した第２実施形態の栽培装置ＣＥ２のように、アンカー部材２２ａ，２２ｂの前後方向両側面に支持杭４１ａ〜４１ｄを設けてロープ４２ａ〜４２ｄの一方端を接続する構成としてもよい。
【００６８】
（栽培キット）
以上説明した各実施形態の栽培装置ＣＥ１〜ＣＥ５は、基本的に特別な工具を用いることなく所望の場所に組み立て設置可能である。また同様に、特別な工具を用いることなく解体可能である。したがって、本発明に係る栽培装置は各部材に解体され栽培キットとして販売可能である。
【００６９】
（その他）
以上説明した各実施形態では主板１１ａ，１１ｂ及び側板１２ａ，１２ｂは連続する１枚の板であったが、主板及び側板の両方又は一方を折り畳み可能としてもよい。例えば主板の場合には図１２に示すように、左右方向中央部で主板１１が左板１１１と右板１１２の２つに分割され、左板１１１及び右板１１２の当接する側辺に上下方向に所定距離隔てて２つの蝶番９１ａ、９１ｂが取り付けられている。これにより主板１１は左右方向中央部を中心として左板１１１と右板１１２とが重なり合うように折り畳み可能とされている。このような構造によれば主板１１の輸送や保管などにおける取り扱い性や保管収納性が向上する。側板についても同様に折り畳み可能としてもよい。なお、側板の場合には上下方向中央部を中心として上板と下板とに分割し、上板と下板とが重なり合うように折り畳み可能とするのが好ましい。
【産業上の利用可能性】
【００７０】
本発明に係る栽培装置及び栽培キットは、組み立て作業及び解体作業が比較的容易にできる。また栽培した根菜類の収穫も容易にでき、しかも強風や地震などによる倒壊が抑制され有用である。
【符号の説明】
【００７１】
１  箱体
４Ａ，４Ｂ  第１支持補強機構
５Ａ，５Ｂ  第２支持補強機構
６Ａ，６Ｂ  第３支持補強機構
１１ａ，１１ｂ  主板
１２ａ，１２ｂ  側板
２１ａ，２１ｂ  アンカー部材
２２ａ，２２ｂ  アンカー部材
３１ａ，３１ｂ  支持部材
３２ａ，３２ｂ  支持部材
３３ａ，３３ｂ  支持部材
４１ａ〜４１ｄ  支持杭
４２ａ〜４２ｄ  ロープ（紐状部材）
５１ａ〜５１ｄ  棒状部材
５２ａ〜５２ｄ  取付部材
５３ａ．５３ｂ  角材（棒状体）
６１ａ〜６１ｄ  補強板
６２  固定具
５１１  屈曲部
５１２  棒状部
５１３  棒状部
ＣＥ１〜ＣＥ５  栽培装置
【図１】
2020167938.tif 000003
【図２】
2020167938.tif 000004
【図３】
2020167938.tif 000005
【図４】
2020167938.tif 000006
【図５】
2020167938.tif 000007
【図６】
2020167938.tif 000008
【図７】
2020167938.tif 000009
【図８】
2020167938.tif 000010
【図９】
2020167938.tif 000011
【図１０】
2020167938.tif 000012
【図１１】
2020167938.tif 000013
【図１２】
2020167938.tif 000014